(57)【要約】【課題】  遮光性に優れていると共に、防炎性や防虫性やイオン効果性等の機能を有し、さらに外観や意匠性に優れ、直ちに貼付可能な障子紙材を提供することである。【解決手段】  モノフィラメント仮撚糸を経糸として織成した布帛に防炎処理、防虫処理、イオン処理のいずれか、もしくはそれらを組み合わせた処理を施すと共に、遮光性を発揮する程度の織密度で織成した布帛３からなる障子紙材とした。【選択図】図１
0003121868.tif 000002
【実用新案登録請求の範囲】
【請求項１】
モノフィラメント仮撚糸を経糸として織成した布帛に防炎処理、防虫処理、イオン処理のいずれか、もしくはそれらを組み合わせた処理を施した障子紙材であって、織成時の緯糸が５０〜４５０デニール程度の太糸であることを特徴とする障子紙材。
【請求項２】
前記モノフィラメント仮撚糸が２０〜４０デニール程度の単糸太さの細糸であることを特徴とする請求項１に記載の障子紙材。
【請求項３】
前記緯糸がポリエステル糸等の合成繊維であることを特徴とする請求項１または２に記載の障子紙材。
【請求項４】
前記布帛に所定の模様柄をプリントしていることを特徴とする請求項１から３のいずれかに記載の障子紙材。
【請求項５】
前記布帛が障子紙のサイズに予め裁断されており、四方の周囲の片面側に両面テープを貼付していることを特徴とする請求項１から４のいずれかに記載の障子紙材。
【考案の詳細な説明】
【技術分野】
【０００１】  本考案は、障子に貼付する紙材に係り、特に難燃性やイオン効果性に優れた機能を有する障子紙材に関するものである。
【背景技術】
【０００２】  従来、日本では和室を仕切るのに障子や襖を用いている。これらの障子や襖は、一般には紙類から製造されており、燃え易いという欠点がある。【０００３】  そのために、防炎性を有する障子紙も提案されており、例えば、和紙と塩化ビニル系の難燃性フィルムとを複合して形成した障子紙が知られている。しかし、塩化ビニル系の難燃性フィルムを備える障子紙は和紙風合いが損なわれるために見栄えが悪いという問題があった。【０００４】  また、親水性合成繊維と植物繊維と無機繊維を主成分とする原料から構成し、防炎性を備えると共に風合いをも備えるとした防炎障子紙及びその製造方法が既に出願されている。（例えば、特許文献１参照）。
【特許文献１】  特開２００１−２２６８９４号公報（第１−７頁）
【考案の開示】
【考案が解決しようとする課題】
【０００５】  一般に障子は、部屋を仕切るために用いられる建具であるので、その障子紙は、部屋の内側が透けて見えない程度の遮光性を備えているほうが好ましい。しかし、従来通りの紙製であれば、燃えやすく、石油ストーブ等の暖房器具を日常的に使用する冬季には火災が心配となる。【０００６】  さらに、単に白一色の従来の障子紙では、季節に応じた雰囲気を呈することは困難である。そのために、住む人の要望に応じた色彩や季節に応じた文様を表現しておれば、より快適な部屋空間を得ることができる。そのうえ、防虫性のような新たな機能を有しておれば、より快適な住環境を達成することができる。【０００７】  また、障子の寸法は予め規定されているので、障子に貼付する障子紙材の大きさも予め規定されている。そのために、予め所定サイズに形成された障子紙材を準備しておき、障子紙の張替えの際には、直ちに張り替えて貼付できるようにしておきたい。【０００８】  本考案の目的は、上記問題点に鑑み、遮光性はもちろん、難燃性や防虫性やイオン効果性等の機能を有し、さらに外観や意匠性に優れていると共に、直ちに貼付可能な障子紙材を提供することである。
【課題を解決するための手段】
【０００９】  上記の目的を達成するために請求項１に係る考案は、モノフィラメント仮撚糸を経糸として織成した布帛に防炎処理、防虫処理、イオン処理のいずれか、もしくはそれらを組み合わせた処理を施した障子紙材であって、織成時の緯糸が５０〜４５０デニール程度の太糸であることを特徴としている。【００１０】  上記の構成を有する請求項１に係る考案によれば、モノフィラメント仮撚糸を経糸としているので、仮撚加工された糸条が備えるバルキー性と捲縮性のために、糸条同士がずれ難い構成である。さらには、緯糸に太糸を用いているので、十分な遮光性を発揮すると共に、防炎機能や防虫機能やイオン発生機能のうちで所定の機能を有する障子紙材とすることができる。【００１１】  請求項２に係る考案は、前記モノフィラメント仮撚糸が２０〜４０デニール程度の単糸太さの細糸であることを特徴としている。【００１２】  上記の構成を有する請求項２に係る考案によれば、細い糸番手のモノフィラメント仮撚糸を縦糸としているので、緯糸の糸太さを変えることで、薄地から厚地まで任意の障子紙を形成することができる。【００１３】  請求項３に係る考案は、前記経糸と緯糸の両方をポリエステル糸等の合成繊維としたことを特徴としている。【００１４】  上記の構成を有する請求項３に係る考案によれば、経糸と緯糸の両方に同質の糸種をもちいているので、同一の薬品や薬剤を用いて防炎機能や防虫機能やイオン発生機能を付与する加工処理を行なうことが容易となる。【００１５】  請求項４に係る考案は、前記布帛に所定の模様柄をプリントしていることを特徴としている。【００１６】  上記の構成を有する請求項４に係る考案によれば、外観や風情に優れインテリア性を有する障子紙材とすることができる。【００１７】  請求項５に係る考案は、前記布帛が障子紙のサイズに予め裁断されており、四方の周囲の片面側に両面テープを貼付していることを特徴としている。【００１８】  上記の構成を有する請求項５に係る考案によれば、障子紙の１単位毎に包装し搬送することができ、さらには張替え作業を容易に行うことができる。
【考案の効果】
【００１９】  本考案によれば、遮光性に優れていると共に、防炎性や防虫性やイオン効果性等の機能を有し、さらに外観や意匠性に優れていると共に、直ちに貼付可能な障子紙材を得ることができる。
【考案を実施するための最良の形態】
【００２０】  以下、本考案に係る障子紙材の実施の形態について、図１および図２に基づいて詳細に説明する。【００２１】  図１は本考案に係る障子紙材を備える障子の一例を示しており、（ａ）は全体正面図であり、（ｂ）は一部拡大図である。図２には本考案に係る布帛構造を示している。【００２２】  図１（ａ）に示すように本考案に係る障子紙材を備える障子１は、障子戸枠２と該戸枠２に貼付される障子紙としてモノフィラメント仮撚糸を経糸に用いて織成した布帛３から構成されている。また、前記布帛３を前記障子戸枠２に張り付ける際には、その度に糊剤や接着剤を用いて貼付することも可能であるが、図１（ｂ）に示すように、予め障子紙のサイズに裁断された布帛の四方に沿って、その周囲の片面側に貼付した両面テープ４を用いると好適である。この構成であれば、張替えの際に、そのまま両面テープ４の剥離紙を剥がすだけで貼付作業を行うことが可能となり、簡単にまた短時間に張替えることができる。【００２３】  前記布帛３は、モノフィラメント仮撚糸を経糸としているので、仮撚加工された糸条が備えるバルキー性と捲縮性のために、糸条同士がずれ難い構成である。さらには、緯糸に太糸を用いているので、十分な遮光性を発揮すると共に、防炎機能や防虫機能やイオン発生機能のうちで所定の機能を有する障子紙材とすることができる。【００２４】  また、経糸と緯糸とで織成した布製品であるので、所定の模様や絵柄を容易にプリントすることができ、意匠や外観に優れた障子紙とすることができる。さらに、経糸を２０〜４０デニール程度の単糸太さの細糸とし、緯糸を５０〜４５０デニール程度の太糸としておれば、緯糸の糸太さを変えることで、薄地から厚地まで任意の障子紙を形成することができ好適である。【００２５】  また、前記布帛３に、所定の模様柄をプリントしておくとインテリア性に優れた障子紙を形成することができる。【００２６】  経糸と緯糸を織成した布帛３には、後加工により種々の機能を付与することが可能である。例えば、防炎処理、防虫処理、イオン処理のいずれか、もしくはそれらを組み合わせた加工処理が可能であって、所定の加工処理を施すことで、布帛にそれぞれ所望される機能を付与することができる。【００２７】  前記防炎処理とは、織成した布帛３に防炎薬剤を含浸させてやればよく、リン酸エステル，ハロゲン系リン酸エステル，ハロゲン系有機化合物，ポリリン酸アンモニウム，リン酸クアニジン，硫酸アンモニウム，スルファミン酸アンモニウム，チオ尿素等のリン・窒素化合物を主体とする防炎薬剤が用いられる。【００２８】  前記防虫処理とは、前記布帛３に蚊や虫等が忌避作用を発揮する成分を含浸することである。また前記忌避作用を発揮できる成分として、例えばユーカリ油、レモン油、ローズゼラニウム油等の精油中に含まれているシネオール、リモネン等の精油成分が好適であることが知られている。また、これらの精油成分は芳香性、殺菌による脱臭性をも有するものが多く、繊維に用いるのに適しているといえる。【００２９】  さらに、ポリエステル糸等の合成繊維に対しては、特殊トルイル酸誘導体を主成分とする加工剤を含浸、塗布、練り込み等の手段により布地本体に加工処理することで、���虫性機能を発揮することができる。【００３０】  前記イオン処理とは、マイナスイオンの発生を誘発させる有機化合物を含む加工剤を含浸、塗布、練り込み等の手段により布帛３本体に加工処理することで、イオン発生機能を発揮することができる。【００３１】  上記の機能をそれぞれ単独で保持する障子紙材としてもよいが、それらを適当に組み合わせた障子紙材としてもよく、防炎機能、防虫機能、イオン発生機能のいずれか、もしくはそれらを組み合わせた加工処理を施すことも可能である。【００３２】  障子紙材としては、例えば図２に示すように、経糸と緯糸とを平織りした布帛３Ａを用いることができ、本実施の形態では、２０Ｄ（デニール）のポリエステルモノフィラメントの仮撚糸を経糸とし、緯糸に５０デニールのポリエステル糸を用いて平織りした布帛構成の障子紙材としている。この際に、前記緯糸には、より太い同様な、例えば４５０デニールのポリエステル糸を用いて、より遮光性の強い厚地の障子紙材とすることも、その他の化合線糸や綿糸等のその他の糸を用いることもできる。また、経糸のポリエステルモノフィラメント仮撚糸の糸太さも３０デニールや４０デニール程度の太さとしてもよく、部屋の雰囲気により２０〜４０デニールの適当な糸太さを選択して布帛を製織すればよい。【００３３】  経糸を２０〜４０デニール程度の単糸太さの細糸としているので、緯糸の太さを５０〜４５０デニール程度とすることで、部屋の内側が透けて見えない程度の遮光性を発揮すると共に、任意の薄地や厚地の布帛を織成することが可能である。【００３４】  ただ単にモノフィラメント糸やポリエステル糸を平織りしただけでは、織目を形成する経糸、緯糸の糸条同士がずれてしまい、織目の大きさが変動することがある。糸条同士がずれて織目の大きさが変動して大きな目付けになると、そこから部屋の内側が見えたり、蚊や小さな虫が侵入する場合があり、障子紙として好ましくない。【００３５】  しかし、本考案では、モノフィラメント糸を仮撚加工したモノフィラメント仮撚糸を経糸に用いて平織りした布帛３Ａとしているので、仮撚加工された糸条が備えるバルキー性と捲縮性のために、糸条同士がずれ難い構成であるので、経糸、緯糸を単に平織りした布地としても一旦形成されたその織目がずれない布地を形成することができる。そのために比較的織密度の粗い、薄地の布帛としても、部屋の内側が透けて見えない程度の遮光性を発揮することができ好適である。【００３６】  また、モノフィラメント仮撚糸を経糸として平織りした布帛であるので、布帛の織目を所望の大きさの目付けのメッシュ状とすることも容易であり、製織する際に経糸、緯糸の本数を加減して適当な織り密度とするだけでも、任意の薄地や厚地の外観を呈する布帛を製作することができる。【００３７】  上記したように、前記布帛３Ａは経糸と緯糸とを平織り状に織成した布帛であるので、この布地に所望の色合いや絵柄をプリントすることができる。また前記布帛に加工処理として防虫処理を施すことで、さらに有効な機能を発揮する布帛からなる障子紙材を得ることができる。【００３８】  一般に障子紙は、予め規定される所定サイズとなっているので、前記布帛を障子紙のサイズに予め裁断し���おくと共に、四方の周囲を糊で固めておくか、テープ等を重ね貼りしておき、解けない構成としておく。また、周囲の片面側に両面テープを貼付しておくと、障子紙の張替えを容易に行うことが可能となり好適である。【００３９】  前記布帛には所定の模様や絵柄がプリントされているので、障子紙を張り替える際には季節に応じた所定のプリント柄を選択することができる。また、そのために、本考案に係る障子紙材は贈答品としても有効であり、日本古来の伝統品を有効に生活の中に取り入れることができるようになる。【００４０】  しかも、防炎処理、防虫処理、イオン処理のいずれか、もしくはそれらを組み合わせた処理を施した布帛としているので、使用する時期や場所に応じて、また、使用する人の希望に応じて所定の機能を有する障子紙材を選択して張り替えることが可能となる。【００４１】  前記布帛３は、その表面に意匠性に優れた文様や絵柄がプリントされていたり刺繍されているので、贈答品や高級品としては、皴や折り目が生じるだけで商品価値は大きく低下して、売り手にとっては大きな損失となる。【００４２】  そのために、布帛３は張り替える障子紙の１単位毎に巻回した包装体としておくことが好ましく、円筒ケースに収納して搬送・保管することで、皴や折り目が生じず、使用勝手のよい障子紙梱包体とすることができる。【００４３】  上記したように本考案によれば、モノフィラメント仮撚糸を経糸として織成された布帛に防炎処理、防虫処理、イオン処理のいずれか、もしくはそれらを組み合わせた処理を施した障子紙材としたので、遮光性を有すると共に所定の機能を有する障子紙材とすることができる。
【図面の簡単な説明】
【００４４】
【図１】  本考案に係る障子紙材の一例を示しており、（ａ）は全体正面図であり、（ｂ）は一部拡大図である。
【図２】  本考案に係る平織り構造の布帛を示している。
【符号の説明】
【００４５】          １  障子
２  障子戸枠
３  布帛
３Ａ  布帛（平織り）
４  両面テープ
【図１】
0003121868.tif 000003
【図２】
0003121868.tif 000004